(57)【特許請求の範囲】
【請求項１】
収容空間を有するレンズ鏡筒、前記レンズ鏡筒内に収容されたレンズ群を含み、前記レンズ鏡筒は、前記収容空間を形成する内表面と、前記内表面に対向して設置された外表面とを含み、前記レンズ群は順次に積層された物体側に接近する第１レンズと像側に接近する第２レンズとを含むレンズモジュールであって、
前記レンズモジュールはさらに前記第１レンズと前記第２レンズとの間に設置されたスペーサを含み、
前記スペーサは、物体側に接近する第１表面、前記第１表面に対向して設置され且つ像側に接近する第２表面、および前記第１表面から前記第２表面に向かって凹んだ接着剤浸透孔を含み、
前記接着剤浸透孔内に、前記スペーサを支持するための硬化接着剤層が形成されており、
前記第１表面の一部は前記第１レンズに当接され、ほかの一部は前記レンズ鏡筒の内表面と間隔を置いて設置されており、前記硬化接着剤層は前記ほかの一部と前記レンズ鏡筒の内表面との間の隙間まで延伸する
ことを特徴とするレンズモジュール。
【請求項２】
前記接着剤浸透孔は、前記第１表面と前記第２表面を貫通することを特徴とする請求項１に記載のレンズモジュール。
【請求項３】
前記第１レンズ及び前記第２レンズは結像用の光学部及び前記光学部を取り囲むように設置された受け部を含み、前記スペーサは少なくとも一部が前記受け部に当接されることを特徴とする請求項１に記載のレンズモジュール。
【請求項４】
前記第２レンズの外径は前記第１レンズの外径より大きいことを特徴とする請求項１に記載のレンズモジュール。
【請求項５】
前記接着剤浸透孔の数は複数であり、複数の前記接着剤浸透孔は光軸を取り囲むように等間隔で設置されることを特徴とする請求項１に記載のレンズモジュール。
【請求項６】
光軸に垂直な断面において、前記接着剤浸透孔は円形であることを特徴とする請求項５に記載のレンズモジュール。
【請求項７】
光軸に垂直な断面において、前記接着剤浸透孔は扇形であることを特徴とする請求項５に記載のレンズモジュール。
【請求項８】
光軸を含む断面において、前記接着剤浸透孔は光軸と平行となることを特徴とする請求項１に記載のレンズモジュール。
【発明の詳細な説明】
【技術分野】
【０００１】
本発明は、光学結像の技術分野に関し、特にレンズモジュールに関する。
【背景技術】
【０００２】
近年、科学技術の絶え間ない発展に伴い、電子機器は絶えずインテリジェントに発展しているが、デジタルカメラ以外に、例えばタブレットコンピュータ、携帯電話などの携帯型電子機器も撮影カメラ機能を備えたレンズモジュールを搭載し、及び自動車等の車両にも撮影カメラ機能を有するレンズモジュールを搭載し、ユーザの随時写真撮影するニーズを満たす。
【０００３】
従来のレンズモジュールは、レンズ鏡筒と、レンズ鏡筒内に収容されたレンズ群とを備えている。前記レンズ群は複数枚のレンズを含み、前記レンズ鏡筒の内部は、前記レンズ群を支持し、内部部材の変形を防止するために、一般的に階段状構造を採用する。従来技術のレンズモジュールのレンズ群は積層方式であり、隣接するレンズの外径の差が大きな場合、大外径レンズと小外径レンズの支持位置が不安定な構造になり、圧力を増加すると、スペーサの変形が激しくなり、レンズの性能に影響を与える。同時に、レンズのエッジの厚さの公差及び前記階段状構造の加工偏差が前記階段状構造の支持効果に影響を与え、スペーサの変形を効果的に緩和することが困難である。
【０００４】
したがって、上記問題を解決するために、新たなレンズモジュールを提供することが必要である。
【発明の概要】
【発明が解決しようとする課題】
【０００５】
従来技術において、圧力を増加すると、大外径レンズの変形が深刻となり、レンズのエッジの厚さの公差及び前記階段状構造の加工偏差が前記階段状構造の支持効果に影響を与え、内部部材の変形を効果的に緩和することが困難であるので、本発明は新たなレンズモジュールを提供する。
【課題を解決するための手段】
【０００６】
収容空間を有するレンズ鏡筒、前記レンズ鏡筒内に収容されたレンズ群を含み、前記レンズ鏡筒は、前記収容空間を形成する内表面と、前記内表面に対向して設置された外表面とを含み、前記レンズ群は順次に積層された物体側に接近する第１レンズと像側に接近する第２レンズとを含むレンズモジュールであって、前記レンズモジュールはさらに前記第１レンズと前記第２レンズとの間に設置されたスペーサを含み、前記スペーサは、物体側に接近する第１表面、前記第１表面に対向して設置され且つ像側に接近する第２表面、および前記第１表面と前記第２表面のうちの一方から他方に向かって凹んだ接着剤浸透孔を含み、接着剤を塗布し且つ接着剤を硬化させた後に、前記接着剤浸透孔内に、前記スペーサを支持するための硬化接着剤層を形成する。
【０００７】
好ましくは、前記接着剤浸透孔は、前記第１表面と前記第２表面を貫通する。
【０００８】
好ましくは、前記第１表面の一部は前記第１レンズに当接され、ほかの一部は前記レンズ鏡筒の内表面に当接される。
【０００９】
好ましくは、前記第１表面の一部は前記第１レンズに当接され、ほかの一部は前記レンズ鏡筒の内表面と間隔を置いて設置されて隙間を形成せさ、前記硬化接着剤層は前記隙間まで延伸する。
【００１０】
好ましくは、前記レンズは結像用の光学部及び前記光学部を取り囲むように設置された受け部を含み、前記スペーサは少なくとも一部が前記受け部に当接される。
【００１１】
好ましくは、前記第２レンズの外径は前記第１レンズの外径より大きい。
【００１２】
好ましくは、前記接着剤浸透孔の数は複数であり、複数の前記接着剤浸透孔は光軸を取り囲むように等間隔で設置される。
【００１３】
好ましくは、光軸に垂直する断面において、前記接着剤浸透孔は円形である。
【００１４】
好ましくは、光軸に垂直する断面において、前記接着剤浸透孔は扇形である。
【００１５】
好ましくは、光軸を含む断面において、前記接着剤浸透孔は光軸と平行となる。
【発明の効果】
【００１６】
本発明が提供するレンズモジュールは、前記第１レンズと前記第２レンズとの間にスペーサを設置し、且つ前記スペーサに前記第１表面と第２表面を貫通する接着剤浸透孔が設けられ、前記接着剤浸透孔は前記第１表面と前記第２表面のうちの一方から他方に向かって凹み、接着剤を塗布し且つ硬化させた後、前記接着剤浸透孔内に、前記スペーサを支持するための硬化接着剤層を形成する。上記構造は、前記レンズ群に対して良好な支持効果を果たし、且つ前記レンズ群の取り付けに影響を与えることがなく、前記スペーサの変形を緩和させ、生産歩留まりを向上させ、前記レンズモジュールの信頼性を向上させることができる。
【図面の簡単な説明】
【００１７】
本発明の実施例における技術考案をより明確に説明するために、以下、実施例で使用する必要な図面を簡単に説明し、以下に説明する図面が、本発明の一部の実施例のみであり、当業者であれば、創造的な労働を行わない前提で、これらの図面からほかの図面を得るここが明らかである。
【００１８】
【図１】図１は、本発明が提供するレンズモジュールの第１実施例の断面構造概略図である。
【図２】図２は、図１に示しているレンズモジュールの断面構造分解図である。
【図３】図３は、本発明が提供するレンズモジュールの第２実施例の断面構造概略図である。
【図４】図４は、図３に示しているレンズモジュールの部分構造の断面構造分解図である。
【図５】図５は、本発明が提供するレンズモジュールの第３実施例の断面構造概略図である。
【図６】図６は、本発明が提供するレンズモジュールの第４実施例の断面構造概略図である。
【発明を実施するための形態】
【００１９】
以下では本発明の実施例における図面を参照しながら、本発明の実施例における技術考案を明確的かつ完全的に説明し、記載された実施例は単に本発明の一部分だけであり、全ての実施例ではない。本発明における実施例に基づき、当業者は創造的な労働を行うことなく取得した全ての他の実施例は、いずれも本発明の保護範囲に属する。
【００２０】
（第１実施例）
図１−図２を参照し、図１は本発明が提供するレンズモジュールの第１実施例の断面構造模式図である。前記レンズモジュール１００は収容空間１７を有するレンズ鏡筒１０、物体側から像側に向かって順に、且つ前記収容空間１７内に同一の光軸で緊密的に配列された複数枚のレンズで形成されたレンズ群３０及び前記収容空間１７内に設置された少なくとも１つのスペーサ５０を含む。前記物体側とは、使用する時に前記レンズ鏡筒１０が物体に接近する側であり、前記像側とは、物体側と反対側である。
【００２１】
前記レンズ鏡筒１０は、光軸に接近する内表面１１と、前記内表面１１に対向して設置された外表面１３と、前記内表面１１と前記外表面１３とを接続して像側に向かっている底面１５とを含み、前記内表面１１は、前記レンズ群３０を収容するための前記収容空間１７を形成する。好ましくは、前記内表面１１は、前記レンズ群３０と組み合わせた階段状構造であり、前記レンズ群３０のレンズの周辺は、前記階段状構造である前記内表面１１に当接され、レンズの固定を実現する。
【００２２】
前記レンズ群３０は、物体側から像側に向かって順に、且つ前記収容空間１７内に同一の光軸で緊密的に配列された複数枚のレンズを含む。具体的には、本実施例において、前記レンズ群３０は、前記レンズ鏡筒１０内に収容された第１レンズ３１、前記第１レンズ３１の像側に位置する第２レンズ３３、前記第１レンズ３１の物体側に位置する第３レンズ３５及び前記第３レンズ３５の物体側に位置する第４レンズ３７を含む。複数枚のレンズ配列を採用して前記レンズモジュール１００が結像する時に、より細かい表示を行うことができる。前記第１レンズ３１は、結像用の光学部３１１と、前記光学部を取り囲むように設けられた受け部３１３とを有する。前記受け部３１３は像側に接近する像側面３１３１と、前記レンズ鏡筒１０の内表面１１と接続して固定する第１接続面３１３３とを含む。前記第１接続面３１３３と前記内表面１１は接着剤の方式で固定される。前記第２レンズ３３の受け部３３３は、物体側に接近する物体側面３３３１と、前記レンズ鏡筒１０の内表面１１と接続して固定する第２接続面３３３３とを含む。前記第２接続面３３３３と前記内表面１１は接着剤の方式で固定される。特に、前記第２レンズ３３の外径は前記第１レンズ３１の外径より大きい。
【００２３】
当業者であれば分かるように、図１に示しているレンズ群３０は例示的なものであり、実際のレンズ群に含まれるレンズの数は、レンズ鏡筒の種類、焦点距離の相違に応じて大きな相違がある。
【００２４】
前記スペーサ５０は前記第１レンズ３１と前記第２レンズ３３との間に位置する。前記スペーサ５０は物体側に接近する第１表面５３、像側に接近する第２表面５５、前記第１表面５３と第２表面５５を接続する第３接続面５７及び前記第１表面５３と前記第２表面５５のうちの一方から他方に向かって凹んだ接着剤浸透孔５１を含み、前記第３接続面５７は前記レンズ鏡筒１０の内表面１１に当接して設置され、接着剤を塗布して接着剤を硬化させた後、前記接着剤浸透孔５１内に前記スペーサ５０を支持するための硬化接着剤層を形成する。
【００２５】
具体的には、前記接着剤浸透孔５１は前記第１表面５３と前記第２表面５５を貫通する。前記第１表面５３の一部は前記第１レンズ３１の像側面３１３１に当接され、残りの一部は前記レンズ鏡筒１０の内表面１１と間隔を置いて設置されて隙間を形成し、接着剤は前記接着剤浸透孔５１を通って前記隙間に入り且つ硬化されて、前記スペーサを支持するための硬化接着剤層７０を形成する。前記第２表面５５は前記第２レンズ３３の物体側面３３３１と当接して設置される。
【００２６】
特に、前記接着剤浸透孔５１の数は複数であり、複数の前記接着剤注入孔５１は複数の配列形態であってもよく、本実施例において、複数の前記接着剤注入孔５１は前記光軸を取り囲むように等間隔で設置される。光軸を含む断面において、前記接着剤浸透孔５１は光軸と平行となる。また，光軸に垂直する断面において、前記接着剤浸透孔５１の形状は、円形、扇形、四角形、矩形または他の形状であってもよい。本実施例において、光軸に垂直する断面において、前記接着剤浸透孔５１が円形である。
【００２７】
さらに、前記硬化接着剤層７０は、前記第１表面５３と、前記第１レンズ３１の前記第１接続面３１３３と前記レンズ鏡筒１０の内表面１１と一緒に囲まれた収容空間に形成される。前記硬化接着剤層７０は接着剤が前記接着剤浸透孔５１から入って硬化させた後形成したものであり、良好な支持作用を果たし、且つ前記レンズ群３０の取り付けに影響を与えない。前記スペーサ５０と前記硬化接着剤層はいずれも前記レンズ鏡筒１０の階段状構造に設置され、良好な支持効果を果たす。
【００２８】
本発明が提供するレンズモジュール１００は、前記第１レンズ３１と前記第２レンズ３３との間にスペーサ５０を設置し、且つ前記スペーサ５０に前記第１表面５３と第２表面５５を貫通する接着剤浸透孔５１が設けられ、前記接着剤浸透孔５１は前記第１表面５３と前記第２表面５５のうちの一方から他方に向かって凹み、接着剤を塗布し且つ接着剤を硬化させた後に、前記接着剤浸透孔５１内に前記スペーサ５０を支持するための硬化接着剤層を形成する。上記構造は前記レンズ群３０に対して良好な支持効果を果たし、且つ前記レンズ群３０の取り付けに影響を与えることがなく、前記スペーサの変形を緩和させ、生産歩留まりを向上させ、前記レンズモジュール１００の信頼性を向上させることができる。
【００２９】
（第２実施例）
図３−図４を参照し、図３は本発明が提供するレンズモジュールの第２実施例の断面構造概略図である。第２実施例は第１実施例とほぼ同じであり、定義符号が一致し、以下では異なる点のみを列挙する。具体的には、前記接着剤浸透孔５１は前記第１表面５３と前記第２表面５５とを貫通する。第１実施例との相違点は以下のようである。前記第１表面５３の一部は、前記第１レンズ３１の像側面３１３１に当接し、ほかの一部は、レンズ鏡筒１０の内表面１１に当接する。前記スペーサ５０と前記レンズ鏡筒１０との間に隙間がない。
【００３０】
（第３実施例）
図５を参照し、図５は本発明が提供するレンズモジュールの第３実施例の断面構造模式図である。第３実施例は第１実施例とほぼ同じであり、定義符号が一致し、以下では異なる点のみを列挙する。前記接着剤浸透孔５１は内外２層で配列され、２層の前記接着剤浸透孔５１は光軸を取り囲むように等間隔で設置されてもよく、折れ線状に配列してもよい。具体的には、本実施例において、２層の前記接着剤浸透孔５１は光軸を取り囲むように等間隔で設置される。
【００３１】
（第４実施例）
図６を参照し、図６は本発明が提供するレンズモジュールの第４実施例の断面構造模式図である。第４実施例は第１実施例とほぼ同じであり、定義符号が一致し、以下では異なる点のみを列挙する。光軸を有する断面において、前記接着剤浸透孔５１は、光軸と平行とならなくてもよい。本実施例において、前記接着剤浸透孔５１は前記光軸と一定的な角度を有して設置される。
【００３２】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
0006909546.tif 000002
【図２】
0006909546.tif 000003
【図３】
0006909546.tif 000004
【図４】
0006909546.tif 000005
【図５】
0006909546.tif 000006
【図６】
0006909546.tif 000007